【手続補正書】
【提出日】令和2年11月24日(2020.11.24)
【手続補正１】
【補正対象書類名】明細書
【補正対象項目名】０００６
【補正方法】変更
【補正の内容】
【０００６】
上記目的を達成するために、本発明の一実施形態である情報処理装置は、複数のタイミングのそれぞれに対応する演奏情報であって、少なくとも音高情報及びベロシティ情報のいずれかを含む演奏情報を取得する演奏情報取得処理と、前記演奏情報取得処理により取得した各タイミングに対応する前記演奏情報に基づいて、前記各タイミングに対応する第１画像を特定する画像特定処理と、前記画像特定処理により特定された複数の前記第１画像が配置された第２画像を出力する画像出力処理と、を実行する制御部を備える。
【手続補正２】
【補正対象書類名】特許請求の範囲
【補正対象項目名】全文
【補正方法】変更
【補正の内容】
【特許請求の範囲】
【請求項１】
複数のタイミングのそれぞれに対応する演奏情報であって、少なくとも音高情報及びベロシティ情報のいずれかを含む演奏情報を取得する演奏情報取得処理と、
前記演奏情報取得処理により取得した各タイミングに対応する前記演奏情報に基づいて、前記各タイミングに対応する第１画像を特定する画像特定処理と、
前記画像特定処理により特定された複数の前記第１画像が配置された第２画像を出力する画像出力処理と、
を実行する制御部を備える情報処理装置。
【請求項２】
前記演奏情報取得処理は、ユーザが演奏を開始してから演奏を終了するまでの間に入力される複数の前記演奏情報を順次取得していく処理を含み、
前記画像特定処理は、順次取得される複数の前記演奏情報に基づいて、各タイミングに対応する前記第１画像を順次特定していく処理を含み、
前記画像出力処理は、ユーザの演奏中に、前記画像特定処理により順次特定される前記第１画像を順次出力していく処理を含む、請求項１に記載の情報処理装置。
【請求項３】
前記制御部は、前記演奏情報取得処理により取得した複数の前記演奏情報に基づいて演奏状態を判定する演奏判定処理を実行し、
前記画像出力処理は、前記演奏判定処理により判定された前記演奏状態に基づいて前記第１画像または前記第２画像を出力する処理を含む、請求項１または２に記載の情報処理装置。
【請求項４】
前記画像出力処理は、前記演奏判定処理により判定された前記演奏状態に基づいて複数の前記第１画像を配置することにより前記第２画像を生成する処理を含む、請求項３に記載の情報処理装置。
【請求項５】
前記演奏判定処理は、前記演奏情報取得処理により取得した複数の前記演奏情報に基づいて、少なくとも調性、コード種別及び音名のいずれかを前記演奏状態として判定する処理を含む、請求項３または４に記載の情報処理装置。
【請求項６】
前記画像出力処理は、前記演奏情報取得処理により前記演奏情報が取得されなくなったと判断した場合に、前記演奏判定処理により判定された前記演奏状態に応じて生成される前記第２画像を出力する処理を含む、請求項３から請求項５のいずれか一項に記載の情報処理装置。
【請求項７】
前記演奏情報はベロシティ情報を含み、
前記画像出力処理は、前記第１画像または前記第２画像を前記ベロシティ情報に応じた大きさで出力する、請求項３乃至６のいずれか一項に記載の情報処理装置。
【請求項８】
前記画像出力処理は、前記演奏判定処理により判定された前記演奏状態に応じて、少なくとも明度が異なる前記第１画像または前記第２画像を出力する処理を含む、請求項３から請求項７のいずれか一項に記載の情報処理装置。
【請求項９】
前記画像出力処理は、前記演奏判定処理により音名が判定された場合、前記判定された音名に対応した前記第１画像を出力する処理を含む、請求項３から請求項８のいずれか１項に記載の情報処理装置。
【請求項１０】
前記画像出力処理は、前記演奏判定処理によりコード種別が判定された場合、前記判定されたコード種別に対応した前記第１画像または前記第２画像を出力する処理を含む、請求項３から請求項９のいずれか１項に記載の情報処理装置。
【請求項１１】
前記演奏情報は、メロディ情報と、コード情報と、を含み、
前記画像特定処理は、前記メロディ情報に応じた第１種別のキャラクタの画像と、前記コード情報に応じた第２種別のキャラクタの画像と、を前記第１画像として特定する処理を含み、
前記画像出力処理は、前記第１種別のキャラクタの画像と前記第２種別のキャラクタの画像とを組み合わせて表示させる処理を含む、請求項３から請求項１０のいずれか１項に記載の情報処理装置。
【請求項１２】
前記第１種別のキャラクタの画像は、花模様のキャラクタの画像であり、前記第２種別のキャラクタの画像は、葉模様のキャラクタの画像であり、
前記画像出力処理は、前記花模様のキャラクタの画像と前記葉模様のキャラクタの画像との関連性に基づいて前記花模様のキャラクタの画像と前記葉模様のキャラクタの画像とを組み合わせて表示する処理を含む、請求項１１に記載の情報処理装置。
【請求項１３】
前記演奏判定処理は、前記演奏情報に応じてコード進行を決定する処理を含み、
前記画像出力処理は、前記演奏判定処理により決定されたコード進行に応じて、前記第１画像をどの位置に表示するかを示す軌道パターンを決定し、決定された前記軌道パターンに基づいて複数の前記第１画像を配置して前記第２画像を生成する処理を含む、請求項３から請求項１２のいずれか１項に記載の情報処理装置。
【請求項１４】
前記画像出力処理は、前記画像特定処理により特定された複数の前記第１画像を渦巻状に配置した前記第２画像を出力する処理を含む、請求項１から請求項１３のいずれかに記載の情報処理装置。
【請求項１５】
前記演奏情報取得処理は、ユーザが演奏を開始してから演奏を終了するまでの間に行われる演奏操作のタイミングに応じて生成された複数の前記演奏情報を順次取得していく処理を含む、請求項１に記載の情報処理装置。
【請求項１６】
情報処理装置の情報処理方法であって、
複数のタイミングのそれぞれに対応する演奏情報であって、少なくとも音高情報及びベロシティ情報のいずれかを含む演奏情報を取得する演奏情報取得処理と、
前記演奏情報取得処理により取得した各タイミングに対応する前記演奏情報に基づいて、前記各タイミングに対応する第１画像を特定する画像特定処理と、
前記画像特定処理により特定された複数の前記第１画像が配置された第２画像を出力する画像出力処理と、
を少なくとも含む情報処理方法。
【請求項１７】
情報処理装置の情報処理プログラムであって、
情報処理装置に対して、
複数のタイミングのそれぞれに対応する演奏情報であって、少なくとも音高情報及びベロシティ情報のいずれかを含む演奏情報を取得する演奏情報取得処理と、
前記演奏情報取得処理により取得した各タイミングに対応する前記演奏情報に基づいて、前記各タイミングに対応する第１画像を特定する画像特定処理と、
前記画像特定処理により特定された複数の前記第１画像が配置された第２画像を出力する画像出力処理と、
を少なくとも実行させる情報処理プログラム。
【請求項１８】
制御部と、
音高を指定する操作子と、
前記操作子により指定された音高に応じた楽音を発音する発音部と、を備え、
前記制御部が、
前記操作子により指定された音高を示す音高情報を含む演奏情報に応じた第１画像を出力する第１画像出力処理と、
前記演奏情報に基づいて、少なくとも調性、コード種別及び音名のいずれかを判定する演奏判定処理と、
演奏が終了したと判断した場合に、前記演奏判定処理により判定された結果に応じた第２画像を出力する第２画像出力処理と、を少なくとも実行する電子楽器。
【請求項１９】
発音すべき楽音の音高、発音タイミング、及び発音強度を含む演奏情報を指定する操作子と、
前記操作子により指定された前記演奏情報に応じた楽音を発音する発音部と、
前記操作子により指定された前記演奏情報に基づいて演奏者による演奏を評価し、前記評価に応じた画像を出力する制御部と、
を含む電子楽器。
【請求項２０】
前記制御部は、前記演奏中の各タイミングで演奏の良否に係る評価を行い、前記演奏中に演奏の良否の変化が識別できるように画像の表示状態を変化させる、請求項１９に記載の電子楽器。
【請求項２１】
前記制御部は、前記演奏中の各タイミングで演奏の良否に係る評価を行い、前記演奏の終了後に、前記演奏を開始してから終了するまでの間の評価結果を反映させた画像を表示する、請求項１９に記載の電子楽器。